【手続補正書】
【提出日】平成18年8月1日(2006.8.1)
【手続補正１】
【補正対象書類名】特許請求の範囲
【補正対象項目名】請求項１
【補正方法】変更
【補正の内容】
【請求項１】
記憶装置に対する書き込みデータを受信するデータ受信部と、
前記データ受信部が受信する前記書き込みデータを前記記憶装置に転送するデータ制御部と、
前記記憶装置の記憶領域上に記憶される一連のデータを記憶するデータ記憶部と、
を備えるデータ転送装置の制御方法であって、
前記データ制御部は、前記記憶装置に記憶されている前記一連のデータをブロック単位で読み出して前記データ記憶部に記憶し、
前記データ制御部は、受信した前記書き込みデータの書き込み先となる前記記憶装置の記憶領域上のブロックと、前記データ記憶部に記憶されている前記記憶装置の記憶領域上の前記ブロックとが同じ場合は、前記データ記憶部に記憶されている前記データを前記書き込みデータにより更新し、
前記データ制御部は、受信した前記書き込みデータの書き込み先となる前記記憶装置の記憶領域上のブロックと、前記データ記憶部に記憶されている前記記憶装置の記憶領域上の前記ブロックとが異なる場合は、前記データ記憶部に記憶されている前記一連のデータに基づいて保証コードを生成し、前記データ記憶部に記憶されている前記一連のデータに前記生成した前記保証コードを付加して前記記憶装置に転送し、前記書き込みデータの書き込み先となる前記記憶装置の記憶領域上のブロックに記憶されている一連のデータを読み出して前記データ記憶部に記憶し、前記データ記憶部に記憶されている前記データを前記書き込みデータにより更新すること、
を特徴とするデータ転送装置の制御方法。
【手続補正２】
【補正対象書類名】特許請求の範囲
【補正対象項目名】請求項３
【補正方法】変更
【補正の内容】
【請求項３】
記憶装置に対する書き込みデータを受信するデータ受信部と、
前記データ受信部が受信する前記書き込みデータを前記記憶装置に転送するデータ制御部と、
前記記憶装置の記憶領域上に記憶される一連のデータを記憶するデータ記憶部と、
を備え、
前記データ制御部は、前記記憶装置に記憶されている前記一連のデータをブロック単位で読み出して前記データ記憶部に記憶し、
前記データ制御部は、受信した前記書き込みデータの書き込み先となる前記記憶装置の記憶領域上のブロックと、前記データ記憶部に記憶されている前記記憶装置の記憶領域上の前記ブロックとが同じ場合は、前記データ記憶部に記憶されている前記データを前記書き込みデータにより更新し、
前記データ制御部は、受信した前記書き込みデータの書き込み先となる前記記憶装置の記憶領域上のブロックと、前記データ記憶部に記憶されている前記記憶装置の記憶領域上の前記ブロックとが異なる場合は、前記データ記憶部に記憶されている前記一連のデータに基づいて保証コードを生成し、前記データ記憶部に記憶されている前記一連のデータに前記生成した前記保証コードを付加して前記記憶装置に転送し、前記書き込みデータの書き込み先となる前記記憶装置の記憶領域上のブロックに記憶されている一連のデータを読み出して前記データ記憶部に記憶し、前記データ記憶部に記憶されている前記データを前記書き込みデータにより更新すること、
を特徴とするデータ転送回路。
【手続補正３】
【補正対象書類名】特許請求の範囲
【補正対象項目名】請求項５
【補正方法】変更
【補正の内容】
【請求項５】
情報処理装置からディスクドライブに対する書き込みデータを受信するホストインタフェースと、
前記ホストインタフェースが受信する前記書き込みデータを前記ディスクドライブに転送するデータコントローラと、を備えるディスクアレイ装置であって、
前記データコントローラは、前記ディスクドライブに対する書き込みデータを前記ホストインタフェースから受信するデータ受信部と、前記データ受信部が受信する前記書き込みデータを前記ディスクドライブに転送するデータ制御部と、前記ディスクドライブに記憶される一連のデータを記憶するデータ記憶部と、を備え、
前記データ制御部は、前記ディスクドライブに記憶されている前記一連のデータをブロック単位で読み出して前記データ記憶部に記憶し、
前記データ制御部は、受信した前記書き込みデータの書き込み先となる前記ディスクドライブの記憶領域上のブロックと、前記データ記憶部に記憶されている前記ディスクドライブの記憶領域上の前記ブロックとが同じ場合は、前記データ記憶部に記憶されている前記データを前記書き込みデータにより更新し、
前記データ制御部は、受信した前記書き込みデータの書き込み先となる前記ディスクドライブの記憶領域上のブロックと、前記データ記憶部に記憶されている前記ディスクドライブの記憶領域上の前記ブロックとが異なる場合は、前記データ記憶部に記憶されている前記一連のデータに基づいて保証コードを生成し、前記データ記憶部に記憶されている前記一連のデータに前記生成した前記保証コードを付加して前記ディスクドライブに転送し、前記書き込みデータの書き込み先となる前記ディスクドライブの記憶領域上のブロックに記憶されている一連のデータを読み出して前記データ記憶部に記憶し、前記データ記憶部に記憶されている前記データを前記書き込みデータにより更新すること、
を特徴とするディスクアレイ装置。
【手続補正４】
【補正対象書類名】特許請求の範囲
【補正対象項目名】請求項７
【補正方法】変更
【補正の内容】
【請求項７】
情報処理装置からディスクドライブに対する書き込みデータを受信するホストインタフェースと、
前記ホストインタフェースが受信する前記書き込みデータを前記ディスクドライブに転送するデータコントローラと、
全体の制御を制御部を司るプロセッサと、
データを記憶するメモリと、を備えるディスクアレイ装置であって、
前記プロセッサは、前記ディスクドライブに記憶されている一連のデータをブロック単位で読み出して前記メモリに記憶し、
前記プロセッサは、受信した前記書き込みデータの書き込み先となる前記ディスクドライブの記憶領域上のブロックと、前記メモリに記憶されている前記ディスクドライブの記憶領域上の前記ブロックとが同じ場合は、前記メモリに記憶されている前記データを前記書き込みデータにより更新し、
前記プロセッサは、受信した前記書き込みデータの書き込み先となる前記ディスクドライブの記憶領域上のブロックと、前記メモリに記憶されている前記ディスクドライブの記憶領域上の前記ブロックとが異なる場合は、前記メモリに記憶されている前記一連のデータに基づいて保証コードを生成し、前記メモリに記憶されている前記一連のデータに前記生成した前記保証コードを付加して前記ディスクドライブに転送し、前記書き込みデータの書き込み先となる前記ディスクドライブの記憶領域上のブロックに記憶されている一連のデータを読み出して前記メモリに記憶し、前記メモリに記憶されている前記データを前記書き込みデータにより更新すること、
を特徴とするディスクアレイ装置。
【手続補正５】
【補正対象書類名】特許請求の範囲
【補正対象項目名】請求項８
【補正方法】変更
【補正の内容】
【請求項８】
情報処理装置からディスクドライブに対する書き込みデータを受信するチャネル制御部と、
前記ディスクドライブに対するデータの書き込みに関する処理を行うディスク制御部と、
前記チャネル制御部と前記ディスク制御部との間で授受されるデータを記憶するキャッシュメモリと、を備えるディスクアレイ装置であって、
前記チャネル制御部は、前記書き込みデータを受信するデータ受信部と、前記データ受信部が受信する前記書き込みデータを前記キャッシュメモリに転送するデータ制御部と、前記ディスクドライブの記憶領域上に記憶される一連のデータを記憶するデータ記憶部とを備え、
前記データ制御部は、前記ディスクドライブに記憶されている前記一連のデータを前記キャッシュメモリからブロック単位で読み出して前記データ記憶部に記憶し、
前記データ制御部は、受信した前記書き込みデータの書き込み先となる前記ディスクドライブの記憶領域上のブロックと、前記データ記憶部に記憶されている前記ディスクドライブの記憶領域上の前記ブロックとが同じ場合は、前記データ記憶部に記憶されている前記データを前記書き込みデータにより更新し、
前記データ制御部は、受信した前記書き込みデータの書き込み先となる前記ディスクドライブの記憶領域上のブロックと、前記データ記憶部に記憶されている前記ディスクドライブの記憶領域上の前記ブロックとが異なる場合は、前記データ記憶部に記憶されている前記一連のデータに基づいて保証コードを生成し、前記データ記憶部に記憶されている前記一連のデータに前記生成した前記保証コードを付加して前記キャッシュメモリに転送し、前記書き込みデータの書き込み先となる前記ディスクドライブの記憶領域上のブロックに記憶されている一連のデータをキャッシュメモリから読み出して前記データ記憶部に記憶し、前記データ記憶部に記憶されている前記データを前記書き込みデータにより更新すること、
を特徴とするディスクアレイ装置。
【手続補正６】
【補正対象書類名】特許請求の範囲
【補正対象項目名】請求項１０
【補正方法】変更
【補正の内容】
【請求項１０】
情報処理装置からディスクドライブに対する書き込みデータを受信するチャネル制御部と、
前記ディスクドライブに対するデータの書き込みに関する処理を行うディスク制御部と、
前記チャネル制御部と前記ディスク制御部との間で授受されるデータを記憶するキャッシュメモリと、を備えるディスクアレイ装置であって、
前記ディスク制御部は、前記書き込みデータをキャッシュメモリから読み出すデータ読み出し部と、前記データ読み出し部が読み出す前記書き込みデータを前記ディスクドライブに転送するデータ制御部と、前記ディスクドライブの記憶領域上に記憶される一連のデータを記憶するデータ記憶部とを備え、
前記データ制御部は、前記ディスクドライブに記憶されている前記一連のデータをブロック単位で読み出して前記データ記憶部に記憶し、
前記データ制御部は、前記キャッシュメモリから読み出した前記書き込みデータの書き込み先となる前記ディスクドライブの記憶領域上のブロックと、前記データ記憶部に記憶されている前記ディスクドライブの記憶領域上の前記ブロックとが同じ場合は、前記データ記憶部に記憶されている前記データを前記書き込みデータにより更新し、
前記データ制御部は、前記キャッシュメモリから読み出した前記書き込みデータの書き込み先となる前記ディスクドライブの記憶領域上のブロックと、前記データ記憶部に記憶されている前記ディスクドライブの記憶領域上の前記ブロックとが異なる場合は、前記データ記憶部に記憶されている前記一連のデータに基づいて保証コードを生成し、前記データ記憶部に記憶されている前記一連のデータに前記生成した前記保証コードを付加して前記ディスクドライブに転送し、前記書き込みデータの書き込み先となる前記ディスクドライブの記憶領域上のブロックに記憶されている一連のデータを読み出して前記データ記憶部に記憶し、前記データ記憶部に記憶されている前記データを前記書き込みデータにより更新すること、
を特徴とするディスクアレイ装置。